(57)【特許請求の範囲】
【請求項１】
カード搬送面で開閉自在な上下のユニットに分割されたカードリーダライタであって、前記分割された一方のユニットにはカードを搬送する複数の駆動ローラと、この複数の駆動ローラに各々連結された複数のプーリと、この複数のプーリに調帯されたベルトと、前記駆動ローラを駆動させるモータと、カードに印字するときにカードを搬送するプラテンローラとを備え、他方のユニットには前記駆動ローラに対向したカード押圧ローラとカードに印字を行う印字ヘッドとを備えたことを特徴とするカードリーダライタ。
【発明の詳細な説明】
【０００１】
【産業上の利用分野】
本発明は、プリペイドカードやＩＤカードに対して、必要な情報を記録・再生または印字するためのカードリーダライタに関するものである。
【０００２】
【従来の技術】
近年、プリペイドカードやＩＤカードなどの磁気カードに磁気情報の記録・再生を行うと共に印字を行うカードリーダライタが次第に普及してきている。以下に、従来の磁気カードリーダライタについて図を参照しながら説明する。図６は、従来のカードリーダライタの側面断面図、図７は同上面図、図８、図９は同側面図である。
【０００３】
図６において、カードリーダライタの装置本体１は上ユニット２と下ユニット３に分割され、カード５はその挿入口６から挿入され、装置本体１内のカード搬送路４内を移動する。カード５を搬送するために挿入口６より第１駆動ローラ７、第２駆動ローラ８と、これらに対応する押圧ローラ９、１０とがカード搬送路４に沿って配置されており、カード搬送方向の間隔はカード５の長さよりも短く設定されている。
【０００４】
第１駆動ローラ７と第２駆動ローラ８との間にはカード５に磁気データの記録・再生を行うための磁気ヘッド１１、磁気ヘッド１１にカード５を押しつけるためのローラ１２があり、またカード５を加熱して印字させるためのサーマルヘッド１３とカード５をサーマルヘッド１３に押しつけながら搬送するためのプラテンローラ１４が設置されている。印字する時にはサーマルヘッド１３は押圧バネ１５によってカード５に押しつけられるが、そのほかの場合にはソレノイド１６によって引き上げられている。装置本体１の上面にはカード搬送、磁気データの記録・再生、印字などの制御を行うための基板１７が設けられている。
【０００５】
図７は装置本体１から基板１７をはずして見た従来のカードリーダライタの上面図である。装置本体１の左右の側面には板金からなるシャーシ１８、１９があり、第２駆動ローラ８を保持するシャフト２０は軸受２１を介してシャーシ１８、１９に固定されており、第１駆動ローラ７についても同様の構造である。また左右のシャーシ１８、１９はその間に配設された補強板２２、２３によって固定されており、一方の補強板２２にはサーマルヘッド１３を引き上げるためのソレノイド１６と、押し下げるための押圧バネ１５が取付けてある。
【０００６】
モータ２４から第１駆動ローラ７、第２駆動ローラ８、プラテンローラ１４までの動力伝達は、図７において、はじめにモータ歯車２５から減速歯車２６、２７でモータ２４の回転数を減速し第２駆動ローラ８へ伝えられる。次に、図８に示すように第２駆動ローラ８を保持するシャフト２０の先端に固定されたプーリ２８からベルト２９によってプラテンローラ１４の回転軸１４ａに固定されたプーリ３０および第１駆動ローラ７の回転軸７ａに固定されたプーリ３１に伝達される。
【０００７】
第１駆動ローラ７、第２駆動ローラ８、押圧ローラ９、１０、磁気ヘッド１１およびサーマルヘッド１３に固着するごみや汚れを容易に取り除くことができるよう、上ユニット２と下ユニット３にわかれ、下ユニット３には支持板３２が固定され、支持シャフト３３によって上ユニット２は上方に回転自在になっている。下ユニット３にはカードリーダライタを固定するための足３４が取付けてある。また、上ユニット２の支持シャフト３３の反対側の端には開閉するための把手３５が取付けてある。
【０００８】
【発明が解決しようとする課題】
しかしながら上記構成では、上ユニット２と下ユニット３を開いた場合、第１駆動ローラ７を回転させるためのプーリ３１と第２駆動ローラ８を回転させるためのプーリ２８とプラテンローラ１４を回転させるためのプーリ３０との間で動力を伝達するベルト２９のたるみが発生し、これを吸収するためにベルト２９を押圧するプーリ３６を持ったテンショナー３７が必要であるため、部品点数及び組み立て工数が増え、ひいてはコストアップにもなるという問題点があった。
【０００９】
そこで本発明は、ユニットを開いた場合に動力伝達のためのベルトがたるみプーリから外れるのを防ぐためのベルトテンショナー機構を必要としないカードリーダライタを提供することを目的とする。
【００１０】
【課題を解決するための手段】
このために本発明は、カード搬送面で開閉自在な上下のユニットに分割されたカードリーダライタにおいて、分割された一方のユニットにはカードを搬送する複数の駆動ローラと、この複数の駆動ローラに各々連結された複数のプーリと、この複数のプーリに調帯されたベルトと、前記駆動ローラを駆動させるモータと、カードに印字するときにカードを搬送するプラテンローラとを備え、他方のユニットには前記駆動ローラに対向したカード押圧ローラとカードに印字を行う印字ヘッドとを備えたものである。
【００１１】
【作用】
上記構成により、一方のユニットを開いてもプーリ間をつなぐベルトのたるみは発生せず、ベルトのたるみを吸収するためのテンショナー機構を不要にできる。
【００１２】
【実施例】
次に本発明の実施例について図面を参照しながら説明する。図１は本発明の第一実施例におけるカードリーダライタの側面断面図、図２は同上面図、図３、図４は同側面図である。なお従来例と同一要素には同一符合を付している。
【００１３】
図１において、装置本体１は上ユニット２と下ユニット３とにカード搬送路４の面で分割されている。カード５はカードリーダライタの装置本体１の挿入口６から挿入され、装置本体１内のカード搬送路４内を移動する。カード５を搬送するために搬送路の下にある第１駆動ローラ７、第２駆動ローラ８と、これらに対応し搬送路の上にある押圧ローラ９、１０とがカード搬送路４に沿って配置されており、カード搬送方向の間隔はカード５の長さよりも短く設定されている。
【００１４】
第１駆動ローラ７と第２駆動ローラ８との間にはカード５に磁気データの記録・再生を行うための磁気ヘッド１１、磁気ヘッド１１にカード５を押しつけるためのローラ１２があり、またカード５を加熱して印字させるためのサーマルヘッド１３とカード５をサーマルヘッド１３に押しつけながら搬送するためのプラテンローラ１４が配置されている。
【００１５】
印字する時にはサーマルヘッド１３は押圧バネ１５によってカード５に押しつけられるが、その外の場合にはソレノイド１６によって引き上げられている。装置本体１の上面にはカード搬送、磁気データの記録・再生、印字などの制御を行うための基板１７が設けられている。
【００１６】
図２は装置本体１から基板１７をはずして見たカードリーダライタの上面図である。装置本体１の左右の側面には板金からなるシャーシ１８、１９があり、第２駆動ローラ８を保持するシャフト２０は軸受２１を介してシャーシ１８、１９に固定されており、第１駆動ローラ７についても同様の構造である。また左右のシャーシ１８、１９はその間に配設された補強板２２、２３によって固定されており、一方の補強板２２にはサーマルヘッド１３を引き上げるためのソレノイド１６と、押し下げるための押圧バネ１５が取付けてある。
【００１７】
下ユニット３に取付けられているモータ２４から第１駆動ローラ７、第２駆動ローラ８、プラテンローラ１４までの動力伝達は、図２において、はじめにモータ歯車２５から減速歯車２６、２７でモータ２４の回転数を減速し第２駆動ローラ８へ伝えられる。次に、図３に示すように第２駆動ローラ８を保持するシャフト２０の先端に固定されたプーリ２８からベルト２９によって第１駆動ローラ７の回転軸７ａに固定されたプーリ３１に伝達される。
【００１８】
同時に、図２において、第１駆動ローラ７の回転軸７ａに固定されたプーリ３１の反対側に固定されたプーリ４０からベルト４１によってプラテンローラ１４の回転軸に固定されたプーリ３０に伝達される。ここで、モータ２４から歯車２５、２６、２７とプーリ２８、３１、４０、３０とベルト２９、４１と第１駆動ローラ７、第２駆動ローラ８とはすべて下ユニット３に配置されている。ベルト２９、４１はここでは歯付きベルトとしたが、丸ベルトまたは平ベルトでも可能である。このとき、ベルトがかかるプーリはベルトの種類によてそれぞれ変わる。
【００１９】
図４に示すように、第１駆動ローラ７、第２駆動ローラ８、押圧ローラ９、１０、磁気ヘッド１１およびサーマルヘッド１３に固着するごみや汚れを容易に取り除くことができるよう、上ユニット２と下ユニット３にわかれ、下ユニット３の端部には支持板３２が固定され、上ユニット２は支持シャフト３３に開閉自在に軸着されて上方に開閉自在になっている。下ユニット３にはカードリーダライタを固定するための足３４取付けてある。また、上ユニット２の支持シャフト３３の反対側の端には開閉するための把手３５が取付けてある。本実施例においては、サーマルヘッド１３と磁気ヘッド１１は別々のユニットに別れているが、カード５の使用目的に対応させて本実施例とは反対に磁気ヘッド１１を上ユニット２にサーマルヘッド１３を下ユニット３に置くか、共に上ユニット２または下ユニット３に配置してもよい。
【００２０】
図５は本発明の第二実施例におけるカードリーダライタの側面図である。この第二実施例は、上記第一実施例における装置本体１の両側面にベルト２９、４１が配置される構成ではなく、片側に１つのベルトのみで駆動伝達する。すなわち第１駆動ローラ７、第２駆動ローラ８に各々対応するプーリ３１、２８の間にプラテンローラ１４の回転軸に固定されたプーリ４２が位置し、このプーリ４２とプーリ３１との間にアイドラー４３が位置して、動力伝達のための歯付きベルト４４とのかみ合い歯数を大きく取れるようにして、歯飛びのない正確な駆動が行えるようにする。ここで、アイドラー４３はプーリ４２とプーリ２８との間にあってもよい。図５に示す実施例ではプーリ３１、２８とプーリ４２とはプーリの歯数が違うため、装置本体１内をカードが移動する速度を等しくするために、第１駆動ローラ７、第２駆動ローラ８の直径とプラテンローラ１４との直径を変える必要があり、プーリ３１、２８とプーリ４２との歯数比が第１駆動ローラ７、第２駆動ローラ８とプラテンローラ１４との直径比に等しくなるように設定する。
【００２１】
【発明の効果】
上記説明したように本発明によれば、装置本体の内部の機器の保守管理のために装置本体を上下のユニットに分割し、開閉できるようにしたカードリーダライタにおいて、これらのユニットを開いた場合に動力伝達のためのベルトがたるみプーリから外れるのを防ぐためのテンショナー機構を必要としないのでカードリーダライタの構造を簡単化でき、かつコストダウンを図れる。
【図面の簡単な説明】
【図１】本発明の第一実施例におけるカードリーダライタの側面断面図
【図２】本発明の第一実施例におけるカードリーダライタの上面図
【図３】本発明の第一実施例におけるカードリーダライタの側面図
【図４】本発明の第一実施例におけるカードリーダライタの側面図
【図５】本発明の第二実施例におけるカードリーダライタの側面図
【図６】従来のカードリーダライタの側面断面図
【図７】従来のカードリーダライタの上面図
【図８】従来のカードリーダライタの側面図
【図９】従来のカードリーダライタの側面図
【符号の説明】
１  装置本体
２  上ユニット
３  下ユニット
５  カード
７  第１駆動ローラ
８  第２駆動ローラ
１４  プラテンローラ
２４  モータ
２８、３０、３１、４０  プーリ
２９、４１  ベルト
【図１】
0003543422.tif 000002
【図２】
0003543422.tif 000003
【図３】
0003543422.tif 000004
【図４】
0003543422.tif 000005
【図５】
0003543422.tif 000006
【図６】
0003543422.tif 000007
【図７】
0003543422.tif 000008
【図８】
0003543422.tif 000009
【図９】
0003543422.tif 000010